(57)【要約】【課題】  上接続片の先端部が捲れ上がるのを防止できて、外観上の体裁がよくなると共に、上接続片の先端部から捲れて上接続片と下接続片とが外れるのを防止できるようにする。【解決手段】  ペットの首下から胸部までを覆うと共に、２本の前足を挿通する挿通孔２を有するハーネス本体１を備え、ハーネス本体１の両端部に、ペットの背中部で互いに上下に重合して着脱自在に接続される上接続片９と下接続片１０とを有するペット用ベストタイプハーネスであって、ハーネス本体１の下接続片１０側端部と下接続片１０の基部との間にポケット１４が形成され、該ポケット１４に上接続片９の先端部９ａを挿入するように構成されている。【選択図】図１
2011239735.tif 000002
【特許請求の範囲】
【請求項１】
ペットの首下から胸部までを覆うと共に、２本の前足を挿通する挿通孔（２）を有するハーネス本体（１）を備え、ハーネス本体（１）の両端部に、ペットの背中部で互いに上下に重合して着脱自在に接続される上接続片（９）と下接続片（１０）とを有するペット用ベストタイプハーネスであって、
ハーネス本体（１）の下接続片（１０）側端部と下接続片（１０）の基部との間にポケット（１４）が形成され、該ポケット（１４）に上接続片（９）の先端部（９ａ）を挿入するように構成されていることを特徴とするペット用ベストタイプハーネス。
【請求項２】
ハーネス本体（１）のペットの首下に対応する前側中央部に、前伸縮部（５）が設けられていることを特徴とする請求項１に記載のペット用ベストタイプハーネス。
【請求項３】
ハーネス本体（１）の一端側と他端側とに、連結帯状体（１６）がそれぞれ設けられ、各連結帯状体（１６）はＶ字状に折り返され、各連結帯状体（１６）の一端部は前記前伸縮部（５）の端部に連結され、各連結帯状体（１６）の他端部はそれぞれハーネス本体（１）の端部の後側に連結され、各連結帯状体（１６）の前記折り返し部に引紐連結リング（１９）が設けられていることを特徴とする請求項２に記載のペット用ベストタイプハーネス。
【発明の詳細な説明】
【技術分野】
【０００１】
本発明は、犬等のペットに使用されるペット用ベストタイプハーネスに関するものである。
【背景技術】
【０００２】
ペット用ベストタイプハーネスにはペットの首下から胸部までを覆うと共に、２本の前足を挿通する挿通孔を有するハーネス本体を備え、ハーネス本体の両端部に、ペットの背中部で互いに上下に重合して着脱自在に接続される上接続片と下接続片とを有するものがあり、上接続片と下接続片とが面ファスナやホックを介して着脱自在に重合固着するようにしたものがある（特許文献１）。
【先行技術文献】
【特許文献】
【０００３】
【特許文献１】特開２００９−２３２８３４号公報
【発明の概要】
【発明が解決しようとする課題】
【０００４】
この種の従来のペット用ベストタイプハーネスでは、上接続片が下接続片に面ファスナ等介して着脱自在に重合固着するようにしたので、上接続片の全体が外部に露出しており、このため上接続片の先端部が捲れ上がり易くなり、外観上の体裁が悪く、また、上接続片が先端部から捲れて上接続片と下接続片とが外れるおそれが大であった。
本発明は上記問題点に鑑み、上接続片の先端部が捲れ上がるのを防止できて、外観上の体裁がよくなると共に、上接続片の先端部から捲れて上接続片と下接続片とが外れるのを防止できるようにしたペット用ベストタイプハーネスを提供することを目的とする。
【課題を解決するための手段】
【０００５】
この技術的課題を解決する本発明の技術的手段は、ペットの首下から胸部までを覆うと共に、２本の前足を挿通する挿通孔を有するハーネス本体を備え、ハーネス本体の両端部に、ペットの背中部で互いに上下に重合して着脱自在に接続される上接続片と下接続片とを有するペット用ベストタイプハーネスであって、
ハーネス本体の下接続片側端部と下接続片の基部との間にポケットが形成され、該ポケットに上接続片の先端部を挿入するように構成されている点にある。
【０００６】
また、本発明の他の技術的手段は、ハーネス本体のペットの首下に対応する前側中央部に、前伸縮部が設けられている点にある。
また、本発明の他の技術的手段は、ハーネス本体の一端側と他端側とに、連結帯状体がそれぞれ設けられ、各連結帯状体はＶ字状に折り返され、各連結帯状体の一端部は前記前伸縮部の端部に連結され、各連結帯状体の他端部はそれぞれハーネス本体の端部の後側に連結され、各連結帯状体の前記折り返し部に引紐連結リングが設けられている点にある。
【発明の効果】
【０００７】
本発明によれば、ポケットに上接続片の先端部を挿入することにより、上接続片の先端部が捲れ上がるのを防止できて、外観上の体裁がよくなると共に、上接続片の先端部から捲れて上接続片と下接続片とが外れるのを防止できる。
【図面の簡単な説明】
【０００８】
【図１】本発明の一実施形態を示すベストタイプハーネスの平面図である。
【図２】同ベストタイプハーネスをペットに装着する状態の斜視図である。
【図３】同ベストタイプハーネスを犬に装着した状態の斜視図である。
【図４】同ベストタイプハーネスを犬に装着した状態の側面図である。
【図５】同図２のＡ−Ａ線断面図である。
【図６】他の実施形態を示すベストタイプハーネスの平面図である。
【図７】同ベストタイプハーネスをペットに装着する状態の斜視図である。
【図８】他の実施形態を示すベストタイプハーネスの平面図である。
【発明を実施するための形態】
【０００９】
以下、本発明の実施形態を図面に基づいて説明する。
図１〜図４において、ペット用ベストタイプハーネスは、犬等のペットの首下から胸部までを覆うハーネス本体１を備え、ハーネス本体１は２本の前足を挿通するための挿通孔２を２つ有している。ハーネス本体１の外面側は布等にデザインを施した表生地１ａで構成され、ハーネス本体１の内面側は激しい動きでもズレにくいソフトな材質又はメッシュタイプの裏布地１ｂで構成されている。表生地１ａと裏布地１ｂとは互いに縫い合わせられている。
【００１０】
図５にも示すように、ハーネス本体１の両端部に型布４を縫い込んで、ハーネス本体１の両端部の形状を保持するようにしている。
ハーネス本体１のペットの首下に対応する前側中央部に、三角形状のクッションゴムで構成した前伸縮部５が設けられている。ハーネス本体１のペットの胸部に対応する後側中央部に三角形状のクッションゴムで構成した後伸縮部６が設けられている。
【００１１】
ハーネス本体１の両端部の外面にリフレクタ７が前後方向に縫い付けられている。リフレクタ７は夜間に光りを反射することにより遠くからでもペットがいることを認識できるようになっている。
ハーネス本体１の両端部に、ペットの背中部で互いに上下に重合して着脱自在に接続される上接続片９と下接続片１０とを有している。上接続片９と下接続片１０とはハーネス本体１と同様に表生地と裏布地とを互いに縫い合わせてなる。図５にも示すように、上接続片９の下面に面ファスナ１１ａが取り付けられ、下接続片１０の上面に面ファスナ１１ａに着脱自在に接着される面ファスナ１１ｂが取り付けられており、上接続片９と下接続片１０とが面ファスナ１１ａ，１１ｂを介して着脱自在に重合固着されるようになっている。
【００１２】
図５にも示すように、ハーネス本体１の下接続片１０側の端部と下接続片１０の基部とは、それらの前縁部と後縁部のみが互いに縫着されており、ハーネス本体１の下接続片１０側の端部と下接続片１０の基部との間にポケット１４が形成され、ポケット１４に上接続片９の先端部９ａが挿入されるように構成されている。
ハーネス本体１の一端側と他端側とに、連結帯状体１６がそれぞれ設けられている。各連結帯状体１６の一端部は前記前伸縮部５の端部にそれぞれ連結され、各連結帯状体１６の中途部に長さ調整具１７が取り付けられ、各連結帯状体１６の他端部側中途部はＶ字状に屈曲されると共に引紐連結リング１９が取り付けられ、各連結帯状体１６の他端部はハーネス本体１の端部の後側に縫い付けられている。
【００１３】
即ち、前伸縮部５の端部に矩形状の連結環２１がクッションゴム紐２２により連結されている。長さ調整具１７は、中央連結部１７ａを有する日の字型に形成されている。連結環２１に各連結帯状体１６の一端側を挿通して折り返され、折り返した連結帯状体１６の一端部は長さ調整具１７の中央連結部１７ａに巻掛けて固着連結してある。連結帯状体１６の中途部は長さ調整具１７の中央連結部１７ａに引っ掛けて長さ調整具１７に挿通されており、長さ調整具１７を連結帯状体１６の中途部に対して連結帯状体１６の長手方向に移動させることにより、連結帯状体１６をそれぞれ長さ調整できるように構成されている。
【００１４】
各連結帯状体１６の中途部はハーネス本体１の両端部の前側に形成した切り込み２３に挿通されてハーネス本体１の内面側に挿入されている。
各連結帯状体１６の他端側はＶ字状に折り返されてＶ字状部２５が形成され、Ｖ字状部２５に偏平なリング状の締結環２６が外嵌されている。各連結帯状体１６の他端部はそれぞれハーネス本体１の端部の後側に連結され、各連結帯状体１６のＶ字状部２５の折り返し部に引紐連結リング１９が挿通保持されている。
【００１５】
各連結帯状体１６の引紐連結リング１９に引紐２８の連結フック２９を引っ掛けることにより引紐連結リング１９同士が連結されると共に、連結フック２９、引紐連結リング１９及び連結帯状体１６を介してペット用ベストタイプハーネスが引紐２８に連結されるようになっている。
上記実施形態によれば、ペット用ベストタイプハーネスを犬に装着する場合、ペット用ベストタイプハーネスを反転させてハーネス本体１の裏布地１ｂ側を上側とし、犬の前足を２つの挿通孔２に入れ、ハーネス本体１を犬の首下から胸部までを覆うように巻回し、ペットの背中部で上接続片９の先端部９ａをポケット１４に挿入しながら上接続片９と下接続片１０とを互いに上下に重合して、上接続片９と下接続片１０とを面ファスナ１１ａ，１１ｂを介して着脱自在に重合固着すればよく、ペット用ベストタイプハーネスを犬の首下から胸部までにフィットする。その後、引紐連結リング１９に引紐２８の連結フック２９を引っ掛けて簡単に連結することができるし、ペット用ベストタイプハーネスを犬に装着したままの状態で、犬を自由に走らせても、ペット用ベストタイプハーネスが犬から自然に外れて落ちることはない。
【００１６】
そして、ポケット１４に上接続片９の先端部９ａを挿入するので、上接続片９の先端部９ａが捲れ上がるのを防止できて、外観上の体裁がよくなると共に、上接続片９の先端部９ａから捲れて上接続片９と下接続片１０とが外れる防止できる。また、Ｖ字状部２５があるため、各連結帯状体１６の引紐連結リング１９側が前後方向に簡単に移動調整することができ、引紐連結リング１９に引紐２８の連結フック２９を引っ掛け易くなるし、連結フック２９乃至引紐２８がハーネス本体１に対して前後にガタ付くのを防止することができる。
【００１７】
図６及び図７は他の実施形態を示し、前記図１〜図５の実施形態と同様にペット用ベストタイプハーネスは、犬等のペットの首下から胸部までを覆うハーネス本体１を備え、ハーネス本体１の両端部に、ペットの背中部で互いに上下に重合して着脱自在に接続される上接続片９と下接続片１０とを有し、ハーネス本体１の両端部に型布４が縫い込まれ、上接続片９と下接続片１０とが面ファスナ１１ａ，１１ｂを介して着脱自在に重合固着されるようになっている。また、ハーネス本体１の下接続片１０側の端部と下接続片１０の基部とは、それらの前縁部と後縁部のみが互いに縫着されており、ハーネス本体１の下接続片１０側の端部と下接続片１０の基部との間にポケット１４が形成され、ポケット１４に上接続片９の先端部９ａが挿入されるように構成されている。
【００１８】
ハーネス本体１の前端部に沿って連結帯状体１６が設けられている。連結帯状体１６の一端部にバックル凸部３５が設けられ、連結帯状体１６の他端部にバックル凹部３６が設けられており、バックル凸部３５とバックル凹部３６とが着脱自在に連結されるように構成されている。
連結帯状体１６の中途部に長さ調整具１７が取り付けられている。この長さ調整具１７は、中央連結部１７ａを有する日の字型に形成されている。バックル凸部３５の中央連結部３５ａに連結帯状体１６の一端側が巻回して折り返され、折り返した連結帯状体１６の一端部は長さ調整具１７の中央連結部１７ａに巻掛けて固着連結してある。連結帯状体１６の中途部は長さ調整具１７の中央連結部１７ａに引っ掛けて長さ調整具１７に挿通されており、長さ調整具１７を連結帯状体１６の中途部に対して連結帯状体１６の長手方向に移動させることにより、連結帯状体１６をそれぞれ長さ調整できるように構成されている。
【００１９】
連結帯状体１６の長さ調整具１７とバックル凹部３６との間の中途部は切り込み３７，３８を介してハーネス本体１の裏面（内面）に挿通され、連結帯状体１６の範囲Ａはハーネス本体１に縫製止めされている。また、連結帯状体１６の長さ調整具１７よりもバックル凸部３５側の中途部は切り込み３９，４０を介してハーネス本体１の裏面（内面）に挿通されている。
【００２０】
上接続片９の先端部９ａとハーネス本体１の外端部との間に上接続片９の上面に沿うように取付帯状体４２が設けられ、取付帯状体４２の一端部は上接続片９の先端部９ａに逢着され、取付帯状体４２の他端部はハーネス本体１の外端部に逢着されている。連結帯状体１６のバックル凸部３５側の中途部と取付帯状体４２の中途部とに引紐連結リング１９が外嵌されている。
【００２１】
上記実施形態によれば、ペット用ベストタイプハーネスを犬に装着する場合、前記図１〜図５の実施形態と同様に犬の前足を２つの挿通孔２に入れて、ハーネス本体１を犬の首下から胸部までを覆うように巻回し、ペットの背中部で上接続片９の先端部をポケット１４に挿入しながら上接続片９と下接続片１０とを互いに上下に重合して、上接続片９と下接続片１０とを面ファスナ１１ａ，１１ｂを介して着脱自在に重合固着する。そして、バックル凸部３５とバックル凹部３６とを連結すればよい。この場合も、ポケット１４に上接続片９の先端部を挿入するので、上接続片９の先端部が捲れ上がるのを防止できて、外観上の体裁がよくなると共に、上接続片９の先端部から捲れて上接続片９と下接続片１０とが外れるのを防止できる。
【００２２】
図８は他の実施形態を示し、前記図１〜図５の実施形態と同様にペット用ベストタイプハーネスは、犬等のペットの首下から胸部までを覆うハーネス本体１を備え、ハーネス本体１の両端部に、ペットの背中部で互いに上下に重合して着脱自在に接続される上接続片９と下接続片１０とを有し、ハーネス本体１の両端部に型布４が縫い込まれ、上接続片９と下接続片１０とが面ファスナ１１ａ，１１ｂを介して着脱自在に重合固着されるようになっている。そして、ハーネス本体１の下接続片１０側の端部と下接続片１０の基部とは、それらの前縁部と後縁部のみが互いに縫着されており、ハーネス本体１の下接続片１０側の端部と下接続片１０の基部との間にポケット１４が形成され、ポケット１４に上接続片９の先端部９ａが挿入されるように構成されている。
【００２３】
ハーネス本体１の前端部に沿って連結帯状体１６が設けられている。連結帯状体１６の一端部にバックル凸部３５が設けられ、連結帯状体１６の他端部にバックル凹部３６が設けられており、バックル凸部３５とバックル凹部３６とが着脱自在に連結されるように構成されている。連結帯状体１６の中途部はハーネス本体１の切り込み３７，３８を介してハーネス本体１の内面側に配置され、連結帯状体１６の範囲Ａはハーネス本体１に縫製止めされている。また、連結帯状体１６の長さ調整具１７よりもバックル凸部３５側の中途部は切り込み３９，４０を介してハーネス本体１の裏面（内面）に挿通されている。
【００２４】
下接続片１０の先端部とハーネス本体１の外端部との間に下接続片１０の上面に沿うように取付帯状体４２が設けられ、取付帯状体４２の一端部は下接続片１０の先端部に逢着され、取付帯状体４２の他端部はハーネス本体１の外端部に逢着されている。取付帯状体４２の中途部に引紐連結リング１９が外嵌されている。
上記実施形態によれば、ペット用ベストタイプハーネスを犬に装着する場合、前記図１〜図５の実施形態と同様に犬の前足を２つの挿通孔２に入れて、ハーネス本体１を犬の首下から胸部までを覆うように巻回し、ペットの背中部で上接続片９の先端部をポケット１４に挿入しながら上接続片９と下接続片１０とを互いに上下に重合して、上接続片９と下接続片１０とを面ファスナ１１ａ，１１ｂを介して着脱自在に重合固着する。そして、連結帯状体１６のバックル凸部３５側を引紐連結リング１９に挿入して、バックル凸部３５とバックル凹部３６とを連結すればよく、ペット用ベストタイプハーネスは犬の首下から胸部までにフィットする。この場合も、ポケット１４に上接続片９の先端部を挿入するので、上接続片９の先端部が捲れ上がるのを防止できて、外観上の体裁がよくなると共に、上接続片９の先端部から捲れて上接続片９と下接続片１０とが外れる防止できる。
【符号の説明】
【００２５】
１    ハーネス本体
２    挿通孔
５    前伸縮部
９    上接続片
９ａ  先端部
１０    下接続片
１４    ポケット
１６    連結帯状体
１９    引紐連結リング
【図１】
2011239735.tif 000003
【図２】
2011239735.tif 000004
【図３】
2011239735.tif 000005
【図４】
2011239735.tif 000006
【図５】
2011239735.tif 000007
【図６】
2011239735.tif 000008
【図７】
2011239735.tif 000009
【図８】
2011239735.tif 000010